(57)【要約】【課題】  テレビに使用する病院用カードタイマーにおいて、テレビの機種が異なっても、テレビの内部の回路を変更する必要がなく、テレビの稼働と待機状態を的確に検出し、かつ、誤作動が少ないテレビに使用する病院用カードタイマーを提供する。【解決手段】    プリペードカードを利用して構内でテレビの使用時間に対して課金し制御するカードリーダ部を設けたカードタイマーにおいて、テレビの稼働発光ダイオードの発光を検知する検知手段を該発光ダイオードの近傍に設置し、カードリーダ部には該稼働発光ダイオードの発光を検知して、稼働状態であればテレビ用の課金を度数を減算し、待機状態であればテレビ用の課金を度数を減算を停止するタイマー制御手段を設けたテレビに使用する病院用カードタイマー。【選択図】図２
2006186827.tif 000002
【特許請求の範囲】
【請求項１】
プリペードカードを利用して構内でテレビの使用時間に対して課金し制御するカードリーダ部を設けたカードタイマーにおいて、テレビの稼働発光ダイオードの発光を検知する検知手段を該発光ダイオードの近傍に設置し、カードリーダ部には該稼働発光ダイオードの発光を検知して、稼働状態であればテレビ用の課金の度数を減算し、待機状態であればテレビ用の課金度数の減算を停止するタイマー制御手段を設けたことを特徴とするテレビに使用する病院用カードタイマー
【発明の詳細な説明】
【技術分野】
【０００１】
本発明は、病院、あるいは、病院と同じようなベッドのある老人ホーム、介護施設等の施設に設置されるテレビに接続するカードタイマーの技術分野に属する。
【背景技術】
【０００２】
従来、病院、あるいは、病院と同じようなベッドのある老人ホーム、介護施設等の施設には、テレビ、冷蔵庫、洗濯機、乾燥機等の電化製品や電話設備を使用するに際して、これらの稼働をプリペードカードを利用して使用時間を計算して課金し制御するカードタイマーが設置されている場合が多い。
ところで、この種のカードタイマーにテレビ接続する場合には、テレビの内部の回路を変更すことは手間も係り、他に転用するにしても内部回路を直さなくてはならず、これを回避するために、特許文献１に示されるようなテレビ用に用いるカードシステムが提供されている。
【０００３】
この従来のカードシステムにおけるカードタイマーを、図３及び図４に示して説明すると、テレビの電源はテレビが不使用時であっても待機状態に維持し、病院のベッドでの入院患者がテレビを見る場合に、テレビ付属のリモコン操作で待機状態から稼働状態にして、このリモコンでチャンネル等を変えている。
すなわち、通常、テレビは不使用状態でも待機状態としているが、図４のＡに示すようにリモコン受信の為などに微弱な電流が流れている。そして、リモコン送信で電源ボタンを押すと電源ＯＮ信号が送信され、テレビのリモコン信号受信部２６で受信されると、電源スイッチが閉となりテレビが稼働し、図４のＢに示すように通常の電流がながれ、逆に、リモコン送信で電源ボタンを押すと電源ＯＦＦ信号が送信され、テレビのリモコン信号受信部２６で受信されると、電源スイッチが開となりテレビが停止し、図４のＣに示すように微弱の電流に戻る。
【０００４】
従来のカードタイマーは、この電流の変化を利用するもので、図３に示すように、テレビ用の電源コンセントａを設け、このコンセントには電流検出装置ｂを設け、テレビcが稼働する時の電流と待機時の電流の間を電流値Ｓ(図４を参照)を設定して、この判定値Ｓよりも大きくなった場合を上記電流検出装置で検出して、テレビ稼働時と判断してタイマーでの課金の残量度数を減算していた。また、前記判定値Ｓよりも小さくなった場合にはテレビが不使用と判断して、課金の減算を停止していた。なお、図３の他の構成は、後述する本発明の実施例の図２と同じであるので、説明は省略する。
【特許文献１】特許第２５９１６８９号公報
【発明の開示】
【発明が解決しようとする課題】
【０００５】
ところで、近時、テレビもＩＣ技術が進み消費電力が少なくなり、また、消費電力値も機種によって大きく異なり、更に、液晶画面を採用したテレビにおいてはリモコンでテレビ電源を切っても、図４の二点鎖線で示しように、電源を切った後の電流変化が波打ち状態Ｄとなり、前記の特許文献１のように、電源電流を検知する方法では誤作動をする場合が多くなった。また、この電流の量も変化の度合いも機種によって大きくことなるので判定値Ｄも使用するテレビ毎に設定し直さなければならない等の問題点があった。
そこで、本発明は、テレビに使用する病院用カードタイマーにおいて、テレビの機種が異なっても、テレビの内部の回路を変更する必要がなく、テレビの稼働と待機状態を的確に検出し、かつ、誤作動が少ないテレビに使用する病院用カードタイマーを提供することにある。
【課題を解決するための手段】
【０００６】
上記の課題を解決するために、請求項１の発明は、プリペードカードを利用して構内でテレビの使用時間に対して課金し制御するカードリーダ部を設けたカードタイマーにおいて、テレビの稼働発光ダイオードの発光を検知する検知手段を該発光ダイオードの近傍に設置し、カードリーダ部には該稼働発光ダイオードの発光を検知して、稼働状態であればテレビ用の課金の度数を減算し、待機状態であればテレビ用の課金度数の減算を停止するタイマー制御手段を設けたことを特徴とするテレビに使用する病院用カードタイマーである。
【発明の効果】
【０００７】
本発明によれば、テレビに使用する病院用カードタイマーにおいて、テレビの機種が異なっても、従来のようにテレビの内部の回路を変更する必要がなく、テレビ枠体の外側の稼働発光ダイオードの近傍に発光ダイオードの稼働状態を検知する検知手段を配置すればよく、かつ、テレビ自体の消費電力や電流変化が種々に変化しても、テレビの機種に左右されることがなく、的確にテレビの稼働と待機状態を検出することができ、かつ、課金における誤作動が少ないカードタイマーとすることができる。
【発明を実施するための最良の形態】
【０００８】
ここで、病院の患者ベッドの近傍のテレビに設置され、このテレビに付属した本発明に好適な外付けカードタイマーの実施例を図１および図２に沿って説明する。
図１において、符号１はテレビ２に取り付けられた縦形の外付けカードタイマーの全体を示したもので、テレビ２および冷蔵庫３(図２参照)に接続されている。
上記カードタイマー１の前面のカード操作部４は、従来より知られている構成であって、プリぺードカード６を挿入する挿入口41と、プリぺードカード６を返却するカード返却押しボタン42と、テレビカードの残度数表示部43が配置されている。
そして、使用可能なプリペードカード６がカード挿入口42に挿入されている場合には、残度数表示部43には使用可能な残度数が表示され、残度数が無く使用済みのプリぺードカード６である場合や、プリぺードカードが挿入されていない場合には使用不能であることを表示する「−−  −−」の記号が表示がされる。また、カードタイマー１を使用しない場合には、カード返却押しボタン42を操作してプリぺードカード６を抜き取っておく。
図１のカードタイマー１前面の上部分には、冷蔵庫３の操作部５が配備されており、冷蔵庫稼働用の押しボタン51と冷蔵庫稼働の残時間表示部52が設けられ、使用者が冷蔵庫を利用する場合には、プリぺードカード６をカード挿入口42に挿入するとともに、押しボタン51を押すことによって、２４時間の冷蔵庫の稼働が確保されるようになっている。
一方、テレビ２の画面の下の操作部の適所には電源スイッチ23が設けられ、その右横には電源ランプ（発光ダイオード）24が設けれていて、待機状態の赤色に点灯し、稼働状態では緑色に点灯し、その電源ランプ24の近傍には光センサー28が配置されている。また、操作部適所にはリモコン受信部26が設けられ、その近傍にはカードタイマー１からの送信器27が配置されている。なお、テレビ２には構内アンテナ回線８（図２を参照）が接続されており、電源21は電源コンセント22から供給されている(図２を参照)ことは、通常のテレビ装置と同じである。
【０００９】
次ぎに、本実施例のカードタイマー１内部の回路構成を、図２のブロック図で説明する。
ここで、本発明でのプリペードカード６とは、使用料金が支払えるカードを意味し、専用のプリペイドカードである。また、場合によっては、素材としては記憶容量が大きな記録が書き換え可能なＩＣカードであってもよい。
カードリーダ１への信号伝達に関して、カードリーダ部61に対してプリペードカード６は従来公知の通常のものでよく、接触型又は非接触型のどちらでもよいが、プリペードカード６の記録媒体(図示せず)はデータが書換え可能なもので、かつ、読み出せるものであればよく、書込み手段や読出し手段は公知の手段を適宜採用すればよく、プリペードカード６内の記録媒体に記録されている形式やデータは公知の通常のものでよく、必要に応じて画像音声情報のファイル形式を適宜選択して採用すればよい。
そして、本発明で使用するプリペードカード６は、前記の使用料金が支払える機能の記録媒体の外に、上述したような画像情報を記録する記録素子等の記憶媒体(図示せず)が収納されていて、病院案内等の患者への注意事項等の画像および音声情報信号が記憶されている。
【００１０】
先ず、使用者がカードタイマー１にプリぺードカード６を挿入してテレビをみる場合を説明する。
プリペードカード６がカード挿入口42に挿入すると、カードリーダ部61によって、プリぺードカード６のデータを読み込んで、読み込んだデータをタイマーとそれをＣＰＵを有しタイマーを制御するタイマー部62に送り、使用可能な残存する残度数を残存表示部63(43,52)に表示する。
このタイマー部62は、単にプリぺードカード６が挿入されいるだけではテレビ２は稼働しない。テレビ２を稼働させるには、先ず、残度数があるプリぺードカード６を挿入しておき、手許のテレビに本来付属していたリモコンで電源ボタンを押すことにより稼働する。
すなわち、本実施例では、通常、テレビはメンイ電源が投入されて待機状態になっており、テレビ２の電源ランプ（発光ダイオード）24は待機状態の赤色に点灯しており、この際、不使用時には、タイマー部62からテレビ２のリモコン受信部26に対しては、テレビ電源操作部65を介して一定時間間隔でテレビ電源ＯＦＦ信号(スタンバイ信号)が送信され続けているので、リモコンで電源ボタンを押してもテレビ２の電源が入らないが、残度数があるプリぺードカード６を挿入すると、テレビ電源操作部65からテレビ電源ＯＦＦ(スタンバイ)の送信が停止し、手許のリモコン作動が可能となることから、使用者が手許のリモコンで電源ボタンを押すことによりテレビ２が稼働する。
【００１１】
このように、プリぺードカード６に残度数がある場合は、手許のそのテレビ付属のリモコン作動でテレビ電源をＯＮとすることができ、同時に、テレビ２の電源ランプ（発光ダイオード）24は稼働状態の緑色に点灯し、この緑色を光センサー28が感知して、テレビ２が稼働したことを検出して検出信号をタイマー部62に送り、この検知信号に基づいてタイマー部62ではテレビ２の使用時間に対して課金を開始する。
つまり、テレビの稼働状態を従来のような電流変化や、リモコン信号等ではなく、確実にテレビ２の稼働と連動する電源ランプの発光に基づいて、カードタイマーの課金に連動させている。
そして、タイマー部62でプリぺードカード６の残度数が零となると、このテレビ電源操作部65は再び一定時間の間隔でテレビ電源ＯＦＦ信号(スタンバイ信号)を送信器27からリモコン受信部26に送信してテレビ２の電源を切り、この状態では、一定時間の間隔でテレビ電源ＯＦＦ信号(スタンバイ信号)が送信器27からリモコン受信部26に送信され続けているのでリモコンでの電源ボタンを押ても、強制的にテレビ２の電源は切られた状態を維持する。
【００１２】
また、タイマー部62でプリぺードカード６の残度数が残っていて、リモコンで電源ボタンを押してテレビ２の電源を切った場合でも、テレビ２の電源ランプ（発光ダイオード）24は待機状態の赤色に点灯するので、この赤色を光りセンサー28が感知して、テレビ２が切られたことを検出信号をタイマー部62に送り、この検知信号に基づいてタイマー部62ではテレビ２の課金を停止する。
なお、図２において、テレビ２のＡＣ電源21はコンセント22を介して供給され、テレビ２には電源スイッチ23が配備されているが、本実施例ではリモコンでの電源制御が前提となるので、使用しないことになる。
更に、カードタイマー１でのテレビの使用を終了する場合は、前面のカード操作部４のカード返却押しボタン42を押すことによって、カードが排出されるとともに、テレビ用の残量度数表示部43の度数が消え、「−−  −−」の記号が表示され、カードを使用してない元の状態に戻る。
【００１３】
本実施例のカードタイマー１での他の冷蔵庫・電話機等の電気機器の制御は、単純に電源スイッチを操作しており、例えば、冷蔵庫３については、押しボタン51を押すことによって、２４時間の冷蔵庫の稼働が確保されるようになっており、残り時間が残量表示部63(52)に表示され、タイマー部62から冷蔵庫電源操作部65にＯＮ信号が送られ、冷蔵庫３のＡＣ電源31を供給しているコンセント32内に設けた電源スイッチをＯＮにする。そして、連続して冷蔵庫を稼働させるには押しボタン51を複数回押して表示時間を長くしておくか、残量表示部の表示が零、或いは、零の近くになた場合には更に押しボタン51を押せばよい。逆に、冷蔵庫３の残量が零になった場合には、ＯＦＦ信号を冷蔵庫電源操作部65に送り、冷蔵庫電源操作部65から冷蔵庫３のＡＣ電源31を供給しているコンセント32内に設けた電源スイッチをＯＦＦにする。
【００１４】
また、本実施例のカードタイマー１では、必ずしも必要ではないが、プリぺードカード６の記録メデアには無料画像情報が記憶されているが、或いは、構内回線７を介して病院側の無料画像情報が提供され、テレビ画面で見られるようにしてある(図示しない操作ボタンの操作によって)。この無料画像情報の提供を受けている場合、すなわち、プリぺードカード６の記録メデア、或いは、構内回線７からのＡＶ情報を情報受信部71で受信し、情報制御部72が作動している場合には、その作動信号をタイマー部62に入力し、タイマーのテレビ使用時間の減算計数(カウント)を停止する課金停止手段(図示せず)をタイマー部62に内蔵した構成として、減算計数を停止する。
そして、この病院案内等の無料画像情報の提供サービスを終了する場合には、情報制御部72によってテレビ電源操作部64を介して電源OFFの信号がリモコン受信部26に送信されて終了し、また、プリペードカード6が挿入され、リモコンから電源ＯＮ信号が送られている場合はタイマー部62での減算計数を再開する。
なお、タイマー部62の残量計数は、課金徴収のため電気器具毎の使用時間に対して計数するが、残量計数が零になった時、および、プリペイドカード6をカード挿入口412から抜いた時には電源は切断される。
【００１５】
ところで、無料情報サービスを受けるている間は、有料情報画面を受けることができないように、音声・画像端子チャンネルに設定するチャンネル設定信号及び電源操作の送信器27をリモコン受信部26の近傍に設けているが、これは各メーカーのテレビ２の外部入力に設定するリモコンのチャンネル設定信号と同じチャンネル設定信号の光学パルスを発光するもので、無料情報サービスを受けている間は音声・画像端子チャンネルに設定するチャンネル設定信号を連続或いは断続して発信する。具体的には各メーカーのテレビ２の音声・画像(AV)端子チャンネルに設定する光学的パルスと同じ信号を発光して、強制的にテレビ２側の音声・画像端子用チャンネルに指定し設定するもので、送信器27の発光部はリモコンと同じＬＥＤを使用した構成である。
本実施例では、図示しない操作ボタンの操作によって、入力切替信号73で切り換えて、無料画像情報が表示されるようにしてある。
これら無料画像情報としては、病院施設の配置や外観や使用方法、或いは、患者への注意事項等の必要とする項目などがある。
【００１６】
以上のように、本実施例のテレビに使用する病院用カードタイマーにおいては、テレビの機種が異なっても、従来のようにテレビの内部の回路を変更する必要がなく、テレビ枠体の外側の稼働発光ダイオードの近傍に発光ダイオードの稼働状態を検知する検知手段を配置すればよく、かつ、テレビ自体の消費電力や電流変化が種々に変化しても、テレビの機種に左右されることがなく、的確にテレビの稼働と待機状態を検出することができ、かつ、課金における残度数の誤作動がないカードタイマーとすることができる。また、テレビのメインスイッチはＯＮのままであるが、テレビ自体に付属したリモコンで従来どうりチャンネル切り換え、電源ＯＮ(稼働)/ＯＦＦ(スタンバイ)などを操作することができる。
【００１７】
なお、本発明の特徴を損なうものでなければ、上記の実施例に限定されるものでないことは勿論であり、例えば、本実施例での検知手段である光センサー28は、テレビの電源ランプが待機状態が赤色で稼働状態では緑色のものに対応して、緑色の光を検知しうるものとしたが、別の例として、テレビの電源ランプが待機状態が赤色で稼働状態では青色のものであれば、光センサーは青色の光を検知しうるものであれだよく、更に、テレビの電源ランプが稼働時だけ赤色に光り、待機状態では消灯するものであれば、検知手段である光センサー28は赤色の光を検知すのものにすればよく、要は、テレビ稼働時の電源ランプの光を検知しうるものであれば良いことは勿論である。
【図面の簡単な説明】
【００１８】
【図１】本発明の実施例のテレビに使用する病院用カードタイマーの正面図である。
【図２】本発明の実施例のテレビに使用する病院用カードタイマーのブロック図である。
【図３】従来のテレビに使用する病院用カードタイマーのブロック図である。
【図４】従来のテレビの待機状態と稼働状態における電源電流の変化とカードタイマーの作動を説明する図である。
【符号の説明】
【００１９】
１…カードタイマー、
２…テレビ、21…電源、22…電源コンセント、23…電源スイッチ、
24…電源ランプ、26…リモコン受信部、27…送信器、28…光センサー
３…冷蔵庫（電気器具）、31…電源、32…電源スイッチ付きコンセント、
４…カード操作部、41…カード挿入口、42…カード返却押しボタン、
43…テレビカードの残度数表示部
５…操作部、51…冷蔵庫稼働用の押しボタン、52…冷蔵庫稼働の残時間表示部
６…プリペードカード、61…カードリーダ部、62…タイマー部(タイマー制御部(ＣＰＵ))、64…テレビ電源操作部、65…冷蔵庫電源操作部、７…構内回線、
71…情報受信部、72…情報制御部、74…音声・画像出力、
８…構内アンテナ回線
【図１】
2006186827.tif 000003
【図２】
2006186827.tif 000004
【図３】
2006186827.tif 000005
【図４】
2006186827.tif 000006